(57)【特許請求の範囲】
【請求項１】
近位ハウジング部分（１２）に、注射液（１８）を備えた容器（１６）を受けるように、そして遠位ハウジング部分（１４）に、用量設定・注射機構（２６）を受けるように、適合されるハウジング（１２，１４）を含む注射デバイス（１０）で、
ここで、該機構は、
容器（１６）から注射液（１８）を投薬するために、ハウジング（１２，１４）に対して軸方向に変位可能であり、外ねじ山（３４）を有し、そしてハウジング（１２，１４）に対してトルクに耐えるように配置される、ピストンロッド（２８）、
該ピストンロッド（２８）の外ねじ山に係合する内ねじ山（３８）を有し、ハウジング（１２，１４）に対してその軸位置を変更可能なように設計され、そして注射用量の設定中、ピストンロッド（２８）に対して、そしてハウジング（１２，１４）に対して回転可能であるねじ山付きエレメント（３６）、を含む、用量設定手段
を含有し、
ここで、該用量設定手段（２６）は、
ねじ山付きエレメント（３６）及びピストンロッド（２８）がハウジング（１２，１４）に対して軸方向に一緒に変位可能となる形で、事前設定注射用量の注射中、ねじ山付きエレメント（３６）がピストンロッド（２８）及びハウジング（１２，１４）に対してトルクに耐える形で、保持されるように設計され、
ここで、該機構（２６）は、ピストンロッド（２８）と接触する、そして注射用量の投薬を除いてデバイス（１０）の使用中、ピストンロッド（２８）の軸方向変位が実質的に固定化できるように設計される、保持手段（６０）を更に含む、注射デバイス（１０）であって、
ここで、該保持手段（６０）がハウジング（１２，１４）に対して軸方向に固定されている、
ピストンロッド（２８）は、外ねじ山（３４）が切り込まれ、そしてピストンロッド（２８）の対向する両側に互いに平行に配置される二つの平らな長手方向の外面（５０）を有し、ここで保持手段（６０）が、ピストンロッド（２８）の両方の平行な外面（５０）と接触し、そしてピストンロッド（２８）に圧縮力を働かせる、
保持手段（６０）が、各々がピストンロッド（２８）の各々の平らな外面（５０）と接触する二つのクランプ部分（６２、６２’）を有するクランプとして作用する、その保持手段（６０）が、ベント金属ワイヤ（６０）からできている、及び
クランプ部分（６２、６２’）が、ピストンロッド（２８）の方向に凸である曲率を有する、上記注射デバイス（１０）。
【請求項２】
保持手段（６０）が少なくとも部分的にピストンロッド（２８）を包囲することを特徴とする、請求項１に記載の注射デバイス。
【請求項３】
二つのクランプ部分（６２、６２’）は、それらがピストンロッド（２８）の意図しない軸方向の変位を妨げるのに十分高い静摩擦をピストンロッド（２８）に働かせるような形で設計されることを特徴とする、請求項２に記載の注射デバイス。
【請求項４】
二つのクランプ部分（６２、６２’）は、それらが注射用量の投薬中ピストンロッド（２８）の必要な軸方向変位を妨害しない又はわずかに妨害するだけの小さな動摩擦をピストンロッド（２８）に働かせるような形で設計されることを特徴とする、請求項３に記載の注射デバイス。
【請求項５】
保持手段（６０）が、好ましくは、請求項１〜４の何れか１項に記載のクランプ部分（６２、６２’）のみが弾性的に変形可能であることを特徴とする、請求項１〜４の何れか１項に記載の注射デバイス。
【請求項６】
クランプ部分（１６２、１６２’）が、保持状態及び滑り状態の間で変形可能であり、ここで、クランプ部分（１６２、１６２’）とピストンロッド（２８）の平らな外面（５０）の間の接触面積（１７４、１７４’）が保持状態において最大であることを特徴とする、請求項３に記載の注射デバイス。
【請求項７】
保持手段（６０）が、ピストンロッド（２８）の縦軸を含みそしてピストンロッド（２８）の平らな外面（５０）に平行である平面に対して対称的な形を有することを特徴とする、請求項１〜６の何れか１項に記載の注射デバイス。
【請求項８】
保持手段（６０）が、近位ハウジング部分（１２）及び遠位ハウジング部分（１４）が、取り外し自在に互いに取り付けられる、好ましくは互いにねじ込まれる、連結部分（５２）に近い遠位ハウジング部分（１４）の近位端に配置されることを特徴とする、請求項１〜７の何れか１項に記載の注射デバイス。
【請求項９】
トルクに耐えるような形でピストンロッド（２８）に連結され、ハウジング（１４）と取り外し自在のトルクに耐える係合をしており、そして注射液の投薬中ピストンロッド（２８）の軸方向変位を誘導する誘導エレメント（４６）を更に含み、ここで保持手段（６０）が誘導エレメント（４６）中に、又は誘導エレメント（４６）とハウジング（１４）の間に配置されることを特徴とする、請求項８に記載の注射デバイス。
【請求項１０】
保持手段（１６０）は、誘導エレメント（４６）とハウジング（１４）の間に配置される場合、その遠位端上で誘導エレメント（４６）に隣接して配列されることを特徴とする、請求項９に記載の注射デバイス。
【請求項１１】
用量設定手段（２６）が、用量を設定するための差動伝達を含むことを特徴とする、請求項１〜１０の何れか１項に記載の注射デバイス。
【請求項１２】
差動伝達が複数のねじ山が切られたスリーブを含み、ここで少なくとも一つのスリーブが、別のスリーブのねじ山ピッチとは異なるねじ山ピッチを有することを特徴とする、請求項１１に記載の注射デバイス。
【請求項１３】
注射液用量の投薬が手動で操作されることを特徴とする、請求項１〜１２の何れか１項に記載の注射デバイス。
【発明の詳細な説明】
【技術分野】
【０００１】
本発明は、その近位ハウジング部分において、注射液を有する容器を受けるために、そしてその遠位ハウジング部分において、用量設定・注射機構を受けるために適合されているハウジングを含む注射デバイスであって、ここで、本機構が、容器から注射液を投薬するために、ハウジングに対して軸方向に移動され得るピストンロッド、ここでピストンロッドが外ねじ山を有し、そしてハウジングに対してトルクに耐えるような形で配置され、ねじ山付きエレメントを含む用量設定手段を含み、そのねじを切られたエレメントが、ピストンロッドの外ねじ山に係合されている内ねじ山を有し、ハウジングに対するその軸位置が変えられるように設計され、そして注射用量の設定中に、ピストンロッドに対して及びハウジングに対して回転でき、ここで、用量設定手段が、ねじ山付きエレメント及びピストンロッドがハウジングに対して軸方向に一緒に変位可能となる形で、事前設定注射用量の注射に、ねじ山付きエレメントがピストンロッド及びハウジングに対してトルクに耐えるような形で保持されるように設計され、ここで、本機構が更に、ピストンロッドと接触している、そして注射用量の投薬を除く装置の使用中に、ピストンロッドの軸方向変位が固定化できる又は実質的に固定化できるように設計される保持手段を含む注射デバイスに関する。
【背景技術】
【０００２】
そのような注射デバイスは特許文献１から公知であり、そこには、自動的に第一工程において、針を注入するための、そして第二工程において注射用量を投薬するための注射デバイスが開示されており、注射用量は事前に手動操作によって設定されている。この装置において、注射操作は、注射用量の投薬が作動されるときに、注射機構を無理やり装置の近位端（患者の側）に向かわせる、事前に張力をかけられたバネによって主として行われる。第一工程（針の注入）において、前述のばねは、ピストンロッドの外部ねじ山と接触している内部ねじ山を有するねじ山付きスリーブ上に作用する。ピストンロッドは、滑りクラッチ（保持手段）によって、その近位端に針を有する容器にしっかりと接続されている更なるスリーブと結合される。第一工程において、針が停止位置へと容器と共に動かされるように、ねじ山付きエレメント、ピストンロッド、滑りクラッチ及びスリーブを介して、ばねが容器上の軸方向に無理やり向けられる。この停止位置に到達すると、事前に張力をかけられたバネは、ねじ山付きエレメント及びピストンロッド上を近位方向に更に無理やり向けられるため、ピストンロッド上のラチェット歯及び更なるスリーブ上の対応するラチェットアームを有する滑りクラッチは係合を解かれる。これによって、容器内のピストン上を押すために、そして事前に設定された注射用量を投薬（dispense）するために、ピストンロッドが軸方向に変位可能となる。滑りクラッチ、つまり、ラチェットアームは、容器に接触しているこれらのスリーブ上に配置されるため、全体の滑りクラッチは注射デバイスのハウジングに対して軸方向に動き得る。
【０００３】
更に、針の排出機能及び保持手段を有しない、類似の注射デバイスが特許文献２から公知である。
【０００４】
患者が用量設定機構の用量ノブを回転しているときに、注射されるべき薬剤の少量が針から漏れることがしばしば観察される。代表的には、最初に液滴が針の点上に現れる。用量ノブ上に更なる回転作用がなされると、この液滴は更に成長して、極端な例においては、薬剤の滴が下に落ちる。これらの現象は、環境の汚染に加えて安全に関係しないものの、そのような現象は故意ではなく、そして患者を不安にさせる。そのような現象は、製造許容誤差、材料表面の性質、望ましくない内部摩擦、及びカートリッジから薬剤を投薬するピストンロッドの望まれない軸方向の動きに繋がる注射機構内の遊びのせいである。
【０００５】
そのような現象は、注射機構の異なる部品の極度に正確な製造及び摩擦がない構造によれば避けられるであろう。これは非常に高くつき、かつ、部品がかなり小さいことも念頭にいれると、そのような正確な製造を達成することは非常に困難である。
【先行技術文献】
【特許文献】
【０００６】
【特許文献１】ＤＥ２９９０７８８１Ｕ１号公報
【特許文献２】ＥＰ１６１０８４８Ｂ１号明細書
【発明の概要】
【発明が解決しようとする課題】
【０００７】
従って、本発明の目的は、望まれない液滴の形成が避けられる注射デバイスを供することである。
【課題を解決するための手段】
【０００８】
この課題は、保持手段がハウジングに対して軸方向に固定されている一般的な注射デバイスによって解決される。
【０００９】
保持手段が、ピストンロッドと接触しているが、ハウジングに対して軸方向に固定され、そして他の注射用量の投薬を除く装置の使用中に、ピストンロッドの軸方向変位が実質的に固定化できるように設計される場合、ハウジングに対して軸方向に移動できる部品を有するＤＥ２９９０７８７１Ａ１号公報の滑りクラッチとは対照的に、保持手段は注射機構の如何なる遊びも許されない。保持手段が、注射デバイスのハウジングに対して固定的に配置されると、機構の遊びによる又は内部摩擦による力を、保持手段を用いてハウジングによって受けることができるために、ピストンロッドの望まれない軸方向の移動を効果的に避けることができる。従って、製造の正確性の更なる改善の必要がないため、ハウジングに対して軸方向に固定された保持手段は、注射デバイスの通常の使用中における液滴の形成を避けるためのコスト節約の可能性を供する。
【００１０】
好ましくは、保持手段は少なくとも部分的にピストンロッドを包囲する。そのような包囲によって、ピストンロッド上に軸方向に作用する力のハウジングへの良好な伝達が可能となり、ピストンロッドが動かないように保持することができる。
【００１１】
好ましくは、ピストンロッドは、外ねじ山が切り込まれ、そしてピストンロッドの相対する両側に互いに平行に配置される二つの平らな長手方向の外面を有し、ここで保持手段は好都合な方法でピストンロッドの両方の平行な外面と接触し、そしてピストンロッド上に圧縮力を働かせる。この点において、保持手段は、各々がピストンロッドの各々平らな外面と接触している二つのクランプ部分を有するクランプとして作用することが好ましい。更に、クランプ部分が、ピストンロッドの意図しない軸方向の変位を妨げるのに十分高い静摩擦をピストンロッド上に働かせるような形で設計されることが提案されている。更に、二つのクランプ部分は、好ましくは、注射用量の投薬中にピストンロッドの必要な軸方向変位を妨害しない又はわずかに妨害するだけの小さな動摩擦をピストンロッド上に働かせるように設計されている。
【００１２】
好ましくは、ピストンロッドの平行なかつ反対の外面上の二つの側からのクランプ部分による保持手段の作用は、働かされる圧縮力のみがピストンロッド上に作用するという有利な点に繋がる。圧縮力が特に半径方向に、注射機構の部品によって支持されなければならないように、保持手段はピストンロッド上に一方的に作用しない。実際に、ピストンロッドの相対する両側を押しつけている二つのクランプ部分の各々によって生み出される圧縮力は互いに相殺されるため、注射機構によって支持されなければならない追加の力は全く発生されない。二つのクランプ部分は自動的に保持手段をピストンロッドに対して中央に置いている。二つのクランプ部分を有する保持手段はピストンロッドと摩擦的に係合する結合に繋がり、ここで静摩擦は、注射機構の遊びによる力をハウジングに確実に伝えるために十分大きくあるであろう。更に、注射デバイスの遠位端上を押し付けることによって注射用量が手動で投薬されるときに、摩擦的に係合された接続によって、注射用量の容易な投薬、つまり、保持手段に対するピストンロッドの円滑な軸方向の移動が可能になるであろう。
【００１３】
実施態様によると、保持手段は、好ましくはクランプ部分のみが変形できて、好ましくは弾性的に変形できて及び／又は曲げることができて、ここで、クランプ部分が、保持状態と滑り状態の間で変形可能であり、ここで、クランプ部分とピストンロッドの平らな外面の間の接触面積が保持状態において最大であることが更に提案される。そのような配置は、保持状態における最大接触面積が最大可能な静摩擦に繋がる故に、動摩擦よりも当然高い静摩擦が、保持手段の動摩擦に対して更に増大することができるという有利なことに繋がる。ピストンロッドの軸方向への移動中に、クランプ部分が弾性的に変形されると、クランプ部分の端面はピストンロッドの外面に対して少し傾いているため、ピストンロッドとのより小さな接触面積が達成される。これによって、ピストンロッドのそのような軸方向の動きの間中に、接触面積が最大に保持される場合に対して動摩擦が低下するため、ピストンロッドの容易な軸方向の移動が可能となる。
【００１４】
好ましくは、保持手段は、好ましくは、ポリエチレン、ポリプロピレン、ポリアミド、ポリテトラフルオロエチレン、ポリオキシメチレン、ポリウレタンのグループのプラスチックの一つ又はブレンドのプラスチックからできている。
【００１５】
保持手段は、クランプ部分を画成している内側輪郭を有する開口部を有するディスクの形を有する。そのようなディスクは、最も好ましくは、プラスチックから作られ、そして、例えば、成形部品又はそれに類似したものとして容易に製造することができる。
【００１６】
代わりの実施態様において、保持手段は、金属、特に、ばね鋼からできており、ここで保持手段は、好ましくは、ベントワイヤで作られる。保持手段がベントワイヤの形を有するときには、クランプ部分は、ピストンロッドの方向に凸である曲率を有することができる。
【００１７】
両方の代替例において、つまり、プラスチックディスクの形体及びベントワイヤの形体をしている保持手段において、クランプ部分は、要求された摩擦力が引き起こされるように形成されるため、ピストンロッドの意図しない軸方向の移動を避けることができる。
【００１８】
保持手段は、好ましくは、ピストンロッドの縦軸を含みそしてピストンロッドの平らな外面に平行である面に対して対称的な形を有する。
【００１９】
更に、保持手段は、接続部分に近い遠位ハウジング部分の近位端に配置することができ、ここで近位ハウジング部分及び遠位ハウジング部分が、好ましくは互いにねじ込まれて、取り除けるように互いに取り付けられる。遠位ハウジング部分のこの近位端は、注射機構の残りの部分のかなりの適合の必要なしで、追加の部品（保持手段）を配置するためのスペースを提供する。
【００２０】
好ましくは、注射デバイスは、注射液の投薬中に、トルクに耐えるような形でピストンロッドに接続され、ハウジングと取り除き得る、トルクに耐えるような形で係合をしており、そしてピストンロッドの軸方向の移動を誘導する誘導エレメントを更に含み、ここで保持手段は誘導部材中に、又は誘導部材とハウジングの間に配置されている。
【００２１】
保持手段が誘導部材とハウジングの間に配置されるときに、それらがその遠位端上で誘導エレメントに隣接して配列されることが好ましい。
【００２２】
誘導エレメントも、注射流体の容器が空になり、交換されるべきときに、戻りエレメントをハウジングに対して回転させることによって、ピストンロッドを遠位方向にねじ込むための戻りエレメントの機能を有する。この場合、近位ハウジング部分及び遠位ハウジング部分は互いに除かれる。空の容器を新しい容器と交換した後、二つのハウジング部分は互いに搭載される。ハウジングとの誘導エレメントのトルクに耐えるような形で係合が再度確立されると、新しいシリーズの注射を始めることができる。その近位端位置中に配置されているピストンロッドは、次いで、ハウジングとのトルクに耐えるような形で係合から戻りエレメントを抜き出させ、誘導エレメントをハウジングに対して回転することによって、その遠位出発位置中にねじ込んで戻すことができる。引き続いて、新しく挿入された充填された容器のピストンの上を押すために。
【００２３】
注射デバイスの用量設定手段は、好ましくは、用量を設定するための差動伝達を含み、ここで差動伝達は複数のねじ山付きスリーブを含み、ここで少なくとも一つのスリーブは、別のスリーブのねじ山ピッチとは異なるねじ山ピッチを有する。この配置によって、例えば、患者によって直接操作されている用量設定部材のかなり大きなピッチを有することが可能となり、それは患者によって認識されそして、この回転軸移動をピストンロッド上のねじ山付きエレメントに伝えるより小さいピッチを有する更なるスリーブを有することを可能とするかなり大きな軸方向の移動に繋がるため、それに従う小さい用量が設定でき、ここでこの用量はねじ山付きエレメントのより小さな軸方向の移動を必要とする。
【００２４】
最後に、もし、用量設定部材のねじ山のピッチを通した助けを借りて適用可能ならば、注射用量の投薬が手動で操作されることが好ましい。
【００２５】
本発明は説明的に述べられるものであり、以下の図面に対して決して限定的ではない。
【図面の簡単な説明】
【００２６】
【図１】ＥＰ１６１０８４８Ｂ１の公知の注射デバイスの縦断面であり、この装置の基本機能を示す。
【図２】模式的な部分的斜視図において、誘導部材における第一実施態様の保持手段の配置を示す。
【図３】保持手段を挿入する前（図３ａ）及び、保持手段を挿入した後（図３ｂ）の第一実施態様の誘導部材及び保持手段を示す。
【図４】第二実施態様に記載の、つまり、ピストンロッド上でディスクの形をした保持手段を示す。
【図５】模式的正面図における保持ディスクを示す。
【図６】図４の線ＶＩ−ＶＩに記載の模式的な断面における、ピストンロッドの軸方向の移動中での保持手段の可能な弾性変形を示す。
【図７】模式的な断面における、第一実施態様及び第二実施態様に記載の保持手段の異なる代替例を示す。
【発明を実施するための形態】
【００２７】
図１は近位ハウジング部分１２及び遠位ハウジング部分１４を有する注射デバイス１０の縦断面である。近位ハウジング部分１２において、注射液１８で満たされる容器１６が受け取られる。ハウジング部分１２の近位端Ｐ上に、注射液１８のための出口を供するために、（示されていない）針２２の遠位端が容器１６内に挿入されるように、針２２を統合させたキャップ２０がねじ２４を用いてねじ込まれる。
【００２８】
遠位ハウジング部分１４は用量設定・注射機構２６を含み、それがＥＰ１６１０８４８Ｂ１において詳細に述べられている。注射機構２６は、ピストンロッド２８の近位端３２に接触しているピストン３０を用いて、容器１６から注射液１８を投薬するために、ハウジング１２、１４に対して軸方向に変位可能であるピストンロッド２８を含む。ピストンロッド２８は外ねじ山３４を有し、そしてハウジング１２、１４に対してトルクに耐えるような形で配置され、ここで、トルクに耐えるような形とは、ピストンロッド２８が、注射デバイスの組み立てられた状態において、ハウジング１２、１４に対して回転できないことを意味する。
【００２９】
更に、用量設定・注射機構２６は、ピストンロッド２８の外ねじ山３４に係合されている内ねじ山３８を有する、ねじ山付きエレメント３６を含む。このエレメント３６は、ハウジング１２に対するその軸位置が変更可能であり、そして注射用量の設定中に、ねじ山付きエレメント３６がピストンロッド２８に対して及びハウジング１２に対して回転可能であるように設計されている。これは、用量の設定中に、用量設定部材４０の遠位方向Ｄへの軸方向の回転の際に、ねじ山付きエレメント３６がピストンロッド２８上を回転して動かされることを意味する。事前に設定された用量が投薬されると、患者は、ばね４４によってロックされた位置において、事前に張力をかけられたボタン４２を押さなければならず、そのことによって、ピストンロッド２８は、投薬されるべき注射用量を設定するために、遠位方向Ｄに所定の量だけ事前に動かされているねじ山付きエレメント３６との係合故に、近位方向に軸方向に動かされる。
【００３０】
尚、用量設定・注射機構２６は、異なる又は同じピッチを持つ異なる内部及び外部ねじ山を有する更なるスリーブを有するため、用量ノブ４０の回転操作がこの回転軸運動のねじ山付きエレメント３６への差動伝達に繋がる。この公知の用量設定・注射機構に関する更なる詳細については、ＥＰ１６１０８４８Ｂ１に参照されている。
【００３１】
ピストンロッド２８は、ピストンロッド２８の外ねじ山３４中に切り込まれた、少なくとも二つの平面の反対に配列された外面５０との機械的協力状態、特に係合状態にある中央開口部４８を有する誘導エレメント４６によって、トルクに耐えるような形で保持される。好ましい実施態様において、この誘導エレメント４６も、ハウジング１２から空になったカートリッジ１６を除いた後、図１に記載のその遠位出発位置中にピストンロッド２８をねじで戻すための戻りエレメントとして役立つ。この目的のために、誘導及び戻りエレメント４６が、ハウジング部分１４に対してエレメント４６を回転することによって、注射機構２６の残りの部分に対して、ピストン２８をねじ込むために、ハウジング部分１４から引き出される。
【００３２】
以下に、保持手段の二つの実施態様が図２から７に対して説明される。これらの保持手段は連結部分５２の近くに配置され、ここで近位ハウジング部分１２及び遠位ハウジング部分１４は、好ましくは互いにねじ込まれて、取り除けるように互いに取り付けられている。
【００３３】
図２は、誘導エレメント４６とのトルクに耐える係合のための、その外ねじ山３４及び二つの対向する平らな外面５０の一つを有するピストンロッド２８を模式的な部分斜視図において示す。更に、ピストンロッド２８の近位端３２がはっきりと見られる。第一実施態様に記載の保持手段６０は、図２において示されるように、誘導エレメント４６内に挿入されている。
【００３４】
第一実施態様の保持手段６０は、図３ａから見ることができるように、実質的にＵ形を有するベントワイヤである。ベントワイヤは、好ましくは、ばね鋼でできており、そして「Ｕ」からの二つの分岐（branch-off）は、クランプ部分６２、６２’がピストンロッド２８に対して凸形を誘導エレメント４６内に挿入させて形成されるように、曲がっている。保持手段又は保持クランプ６０はスリット４６を通して誘導エレメント４６中に挿入され、そして誘導エレメント４６内に軸方向に固定して保持されるが、好ましくは、ピストンロッド２８の軸に対して半径方向の面中における動きを可能にするための幾らかの遊びを有して保持されている。
【００３５】
誘導エレメント４６中に挿入されると、保持手段６０のクランプ部分６２、６２’は、開口部６６の対応する平面の表面６８を有するピストンロッド２８の平らな外面５０の機械的協力、特に係合のおかげで、トルクに耐えるような形で軸方向にピストンロッド２８がその中に誘導されそして保持される開口部６６中に、それらの各々の凸状のワイヤ部分を用いて突き出す。これは、図３ａの矢印ＩＩＩに記載の近位端からの正面図である図３ｂにおいて最もよく見られる。
【００３６】
このように、保持手段１６はピストンロッド２８上に自動的に中心を置かれている。
【００３７】
図４から６において描かれている第二実施態様によると、保持手段１６０はディスクを有し、ここで内側輪郭１７０は、それを通ってピストンロッド２８が通過する開口部を画成する。保持手段１６０はプラスチックディスクでできており、そして輪郭１７０も、ピストンロッド２８の二つの平面の表面５０と接触している二つのクランプ部分１６２、１６２’を画成する。
【００３８】
そのような保持ディスク１６０は、好ましくは、図１における参照符号５２によって示されている通り、その遠位側上の誘導エレメント４６に隣接して配置される。注射用量の投薬中に、保持ディスク１６０は誘導エレメント４６又はハウジングの別の固定された部分に寄りかかり、従って、ハウジング部分１４に対して軸方向に固定されるため、ピストンロッド２８のための保持手段としてそれが作用することができる。
【００３９】
図６は、図４の線ＶＩ−ＶＩに記載の簡略化された断面を示す。図６の右側の断面において、クランプ部分１６２、１６２’は保持位置にある。この位置において、各前面１７２、１７２’はピストンロッド２８の各平らな外面５０と完全接触状態にある。事前に設定された注射用量を投薬するために、ピストンロッド２８が、軸方向に固定されたクランプディスク１６０に対して近位方向Ｍに動かされると、好ましくは弾性のクランプ部分１６２、１６２’が少し曲がり、そのためそれらは小さな領域、つまり、前面１７２、１７２’の端部面積１７４、１７４’とだけ接触する。そのような構成を有すると、図６の右側に記載の保持位置における静摩擦はかなり大きく、ここでピストンロッド２８がクランプディスク１６２に対して動くときに、ピストンロッド２８の前面１７２、１７２’と各外面５０の間の減少した接触面積のせいで、本来より小さな動摩擦が、クランプ部分１６２、１６２’の曲がりによって更に最小化される。
【００４０】
尚、図６の模式図においては、ピストンロッドの運動中の弾性変形の量が誇張されているので、矢印Ｍの方向へのピストンロッド２８の動きが終わった後、クランプ部分１６２、１６２’は、ピストンロッド２８の位置への何らの影響も無しに、図６（右手側）に記載の保持位置に無理やりに向かわされる。従って、休止位置（右手側）におけるクランプ部分１６２、１６２’の戻り運動のせいで、遠位方向（図６の矢印Ｍの反対方向）にピストンロッドが後退することはない。クランプ部分１６２、１６２’は弾性的復元力によって保持位置に無理やり向かわされる。
【００４１】
図７は、模式的なかつ簡略化された状態における、第一実施態様に記載のベントワイヤ６０の断面の、及びディスク形をした保持手段１６０のクランプ部分１６２、１６２’のあり得る代替例を示す。そこに見られるように、左側の第一断面は円形断面を有する曲がった金属ワイヤからなる。或いは、この断面は、金属ワイヤとピストンロッド２８の平面の表面５０の間の接触面積を増すために円形セグメントであってもよい。更に、右側に、既に提案されたクランプ部分１６２に対する代替例があり、ここで代替クランプ部分１６２ａは二つのリップ１７６によってピストン２８の表面５０と接触している前面１７２ａを有する。そのような配置はまた、図６の左側において示されるように、ピストンロッド２８の運動中、クランプ部分１６２の弾性的な小さい変形の場合にも有利であり得る。
【００４２】
ばね鋼のベントワイヤ又はプラスチックのディスクの形をした保持手段６０、１６０によって、クランプ部分６２及び６２’、１６２，１６２’とピストンロッド２８の平面の表面５０の間の静摩擦のため、ピストンロッド２８が保持され得る。この静摩擦は、注射機構２６（図１）の内部摩擦による及び／又は注射機構２６内又は注射デバイス１０全体の遊びによる、ピストンロッド２８の如何なる動きをも防ぐほど高い。ピストンロッド２８の縦軸に対する保持手段６０、１６０の対称的形態は、ピストンロッド２８上の一定のクランプ作用に繋がる。クランプ部分６２、６２’及び１６２、１６２’の各々から働く力は、クランプ作用がハウジングによる半径方向に支持されるべき一方的な力を引き起こさないように、互いに緩和され、そのことがピストンロッドと注射デバイスの他の部分の間に作用する半径方向の応力を避ける自己センタリング効果をもたらす。
【図１】
0005622743.tif 000002
【図２】
0005622743.tif 000003
【図３ａ）】
0005622743.tif 000004
【図３ｂ）】
0005622743.tif 000005
【図４】
0005622743.tif 000006
【図５】
0005622743.tif 000007
【図６】
0005622743.tif 000008
【図７】
0005622743.tif 000009